(57)【特許請求の範囲】
【請求項１】
周縁部に直線状壁部１３、１３及び円弧状壁部１４を夫々設けた金属製の細幅状薄板１５並びに同板１５に固定した細幅状固定板１７で釦保持用部材１１を形成すると共に、両側縁部に直線状の壁部２５、２５を有する金属製の細幅状薄板２６と同薄板２６に固定した細幅状固定板２８で釦係止用部材２３を形成し、前記釦保持用部材１１及び釦係止用部材２３の組合わせにより、釦７の釦孔８への掛止を容易に行うように構成したことを特徴とする釦掛止用治具。
【発明の詳細な説明】
【０００１】
【発明の属する技術分野】
本発明は、衣類に適宜縫着した釦を釦孔に容易に掛止できるようにした釦掛止用治具に関するものである。
【０００２】
【従来の技術】
従来、衣類の前立などに縫着した釦を釦孔に係止する場合は、その都度手作業にて係止するようにしていた。
【０００３】
【発明が解決しようとする課題】
従って非常に多くの枚数の縫製された衣服について、１枚の衣服毎に多数の釦を釦孔に夫々掛止する作業は、煩雑で多くの手数を要し、その結果縫製作業能率の低下を招く欠点があった。
【０００４】
【課題を解決しようとする手段】
本発明は、上記の問題点を解決するために、周縁部に直線状壁部１３、１３及び円弧状壁部１４を夫々設けた金属製の細幅状薄板１５並びに同板１５に固定した細幅状固定板１７で釦保持用部材１１を形成すると共に、両縁部に直線状の壁部２５、２５を有する金属製の細幅状薄板２６と同薄板２６に固定した細幅状固定板２８で釦係止用部材２３を形成し、前記釦保持用部材１１及び釦係止用部材２３の組合わせにより、釦７の釦孔８への掛止を容易に行うように構成したことにより、釦掛止用治具１０の釦孔８内への挿入並びに釦７の把持、係止更に釦孔８への釦７の掛止作業等を迅速に行うことによって、縫製作業能率を顕著に向上し得るようにしたものである。
【０００５】
【発明の実施の形態】
図１３〜図１４において、１はパンツで、２は前立部、５は上側前立部、６は下側前立部、７は釦、８は釦孔である。
【０００６】
図１〜図１１は、本発明に係わる釦掛止用治具の第１実施例を示したもので、１０は釦掛止用治具、１１は釦保持用部材、２３は釦係止用部材である。
【０００７】
前記釦保持用部材１１は、図１〜図２の如く、周縁部に直線状壁部１３、１３及び円弧状壁部１４を夫々設けた金属製の細幅状薄板１５と、同壁１３、１３間で且つ同薄板１５の裏面側に固定した金属製の細幅状固定板１７との組み合わせにより、形成するようにしてある。
【０００８】
尚、図２において、１８は、前記固定板１７の先端部に形成した湾入型の円弧状ガイド部であり、更に前記の円弧状壁部１４及びガイド部１８は、夫々釦７の外周縁と略同一か、若しくは釦７の直径よりも若干直径の大きい寸法の円弧で形成するようにしてある。
【０００９】
１９は細幅状薄板１５の先端部に形成した釦７の保持用嵌合部で、円弧状の壁部１４と円弧状ガイド部１８で囲まれた部分で形成するようにしてあり、２０はネジ２１のネジ孔で、２２はメネジである。
【００１０】
また前記釦係止用部材２３は、図３〜図４の如く、両側縁部に直線状の壁部２５、２５夫々設けた金属製の細幅状薄板２６と、同直線状壁部２５、２５間で、且つ同薄板２６の表面側に固定した金属製の細幅状固定板２８との組み合わせにより、形成するようにしてある。
【００１１】
尚、前記固定板２８の先端部には、湾入型の円弧状に形成した円弧状ガイド部３０を設けてあり、且つ同ガイド部３０の円弧は、釦７の円周と略同一若しくは若干直径の大きい寸法の円弧で形成するようにしてある。
【００１２】
また前記の細幅状薄板１５、２６及び細幅状固定板１７、２８の夫々の幅は、釦孔８の長手方向の長さ（寸法）に比べて若干幅狭に形成するようにしてあり、更に釦掛止用治具１０を釦孔８内に容易に挿通できるようにしてある。
【００１３】
更に図３〜図４において、３２は細幅状薄板２６の先端部に形成した円弧状係止部で、適宜の湾入型凹状曲線で形成するようにしてあり、且つ同円弧状係止部３２を介して後述の如く、釦７を係止するようにしたものである。
【００１４】
３５は細幅状固定板２８に設けた長孔で、ネジ２１を同孔３５に挿通するようにしてあり、且つ長孔３５を介して固定板１７、即ち釦保持用部材１１の前後方向における微少な摺動を可能としたものである。
【００１５】
尚、図１及び図１１の如く、細幅状薄板１５に設けた直線状壁部１３、１３間の寸法幅よりも細幅状薄板２６に設けた直線状壁部２５、２５間の寸法幅の方を若干広幅とし、且つ直線状の壁部２５，２５と細幅状固定板２８間の隙間部３５、３５内に前記細幅状薄板１５に設けた直線状壁部１３、１３を挿入、支持されるようにしてある。
【００１６】
次いで前記釦掛止用治具１０を用いて釦掛け作業を行う場合の作業手順について、以下述べる。
先ず釦掛止用治具１０を図５の如く、上側前立部５の釦孔８に向かって前進させ、同孔８内に差し込む、即ち同治具１０の先端部である細幅状薄板１５の円弧状壁部１４を釦孔８内に差し込むのである。
【００１７】
次いで図６〜図８の如く，釦保持用嵌合部１９内に釦７を嵌合し、更にネジ２２に指を係止させて細幅状薄板１５，１７を図９の如く一体的に後退させ、釦７を釦保持用嵌合部１９内に係止させるのである、即ち釦７を細幅状薄板２６の先端部に形成した円弧状係止部３２側に係止、保持させるのである。
【００１８】
次いで釦掛止用治具１０を図９の如く、上側前立部５の釦孔８外に後退させる、即ち釦７を上側前立部５の釦孔８の外側に引き出して表出させ、次いで図１０の如く、ネジ２２に指を係止させて細幅状薄板１５，１７を元の位置へ一体的に前進させて釦７の係止を解除し、釦７を釦孔８に係止させるのである。
【００１９】
尚、第１２図は、釦掛止用治具の第２実施例を示したもので、５０は釦掛止用治具、５１は支持板、５２は釦７の係止部で、支持板５１の先端部を逆コの字状に折り曲げて形成したものであり、５３は湾入型の凹状部、５５は凹部である。
【００２０】
従って上記釦掛止用治具５０を用いて前述同様に釦７を釦孔８に掛止するには、前記係止部５２の凹部５５内に釦７を挿入、支持した状態で前述同様に釦７を釦孔８側に掛止することができるようにしたものである。
【００２１】
なお、本発明に係わる釦掛止用治具１０，５０について、釦７を釦孔８に掛止する際、パンツの事例について述べたが、パンツ以外に例えば釦付きのシャツなど、釦孔及び釦付きの各種の衣類についても適応できることは勿論である。
【発明の効果】
【００２２】
【発明の効果】
本発明は上述の如く、周縁部に直線状壁部１３、１３及び円弧状壁部１４を夫々設けた金属製の細幅状薄板１５並びに同板１５に固定した細幅状固定板１７を介して釦保持用部材１１を形成すると共に、両縁部に直線状の壁部２５、２５を有する金属製の細幅状薄板２６と同薄板２６に固定した細幅状固定板２８を介して釦係止用部材２３を形成し、前記釦保持用部材１１及び釦係止用部材２３の組合わせにより、釦７の釦孔８への掛止を容易に行うように構成したもので、釦掛止用治具１０の釦孔８内への挿入が容易であり、且つ釦孔８の内側における釦７の把持、係止及び釦孔８外側への釦７の引き出し、更に釦孔８外側における釦７の係止解除等を容易に行うことができ、釦掛止作業を迅速に行うことによって、縫製作業能率の向上に寄与できるようにしたものである。
【図面の簡単な説明】
【図１】本発明による釦掛止用治具の第１実施例で、全体の斜視図を示したものである。
【図２】本発明による釦掛止用治具の第１実施例で、釦保持用部材の斜視図を示したものである。
【図３】本発明による釦掛止用治具の第１実施例で、釦係止用部材の斜視図を示したものである。
【図４】図２の主要部を拡大した拡大斜視図である。
【図５】本発明の第１実施例による釦掛止用治具を釦孔内に挿入した状態の操作説明用斜視図である。
【図６】本発明の第１実施例による釦掛止用治具と釦との位置関係を示した操作説明用断面図である。
【図７】本発明の第１実施例による釦掛止用治具内に釦に嵌合、係止した状態の操作説明用断面図である。
【図８】本発明の第１実施例による釦掛止用治具内に釦を係止、保持した釦保持用部材を裏面側からみた操作説明用拡大平面図である。
【図９】本発明の第１実施例による釦掛止用治具内に係止された釦を釦孔部に掛止した状態を示す操作説明用断面図である。
【図１０】本発明の第１実施例による釦掛止用治具内の釦の係止を解除した状態を示す操作説明用断面図である。
【図１１】図１のＸ−Ｘ断面図である。
【図１２】本発明の第２実施例による釦掛止用治具の斜視図である。
【図１３】パンツの正面図である。
【図１４】図１３のパンツの前立部における拡大説明用平面図である。
７  釦
８  釦孔
１０  釦掛止用治具
１１  釦保持用部材
２３  釦係止用部材
【図１】
0003867824.tif 000002
【図２】
0003867824.tif 000003
【図３】
0003867824.tif 000004
【図４】
0003867824.tif 000005
【図５】
0003867824.tif 000006
【図６】
0003867824.tif 000007
【図７】
0003867824.tif 000008
【図８】
0003867824.tif 000009
【図９】
0003867824.tif 000010
【図１０】
0003867824.tif 000011
【図１１】
0003867824.tif 000012
【図１２】
0003867824.tif 000013
【図１３】
0003867824.tif 000014
【図１４】
0003867824.tif 000015